(57)【要約】【課題】原稿の送信に先立って、相手先ファクシミリ装置が対応する記録紙サイズや記録紙残量などの情報を送信側において予め確認することができるファクシミリ装置を提供すること。【解決手段】画像データの送信に先立って、相手先装置１Ｂに対して記録紙の情報を要求するテキストデータ形式のコマンドＺ１をＳＩＰメソッド「ＭＥＳＳＡＧＥ」により送信し、前記相手先装置１ＢからＳＩＰメソッド「ＭＥＳＳＡＧＥ」により受信したテキストデータＸ１を出力するファクシミリ装置１Ａ。  記録紙の情報を要求するテキストデータ形式のコマンドＺ１をＳＩＰメソッド「ＭＥＳＳＡＧＥ」により受信した場合に、自装置１Ｂの記録紙の情報Ｘ１を検出し、これをテキストデータ形式にてＳＩＰメソッド「ＭＥＳＳＡＧＥ」により第１コマンドの送信元１Ａへ返信するファクシミリ装置１Ｂ。【選択図】図５
2006101418.tif 000002
【特許請求の範囲】
【請求項１】
画像データの送信に先立って、相手先装置に対して記録紙の情報を要求する第１コマンドを呼制御プロトコルのメソッドにより送信する第１コマンド送信手段と、前記相手先装置から呼制御プロトコルのメソッドによりテキストデータを受信する受信手段と、該手段により受信したテキストデータを出力する出力手段と、を備えることを特徴とするファクシミリ装置。
【請求項２】
前記相手先装置に対して、記録紙の補充を要求する第２コマンドを呼制御プロトコルのメソッドにより送信する第２コマンド送信手段を更に備えることを特徴とする請求項１記載のファクシミリ装置。
【請求項３】
記録紙の情報を要求する第１コマンドを呼制御プロトコルのメソッドにより受信する第１コマンド受信手段と、該手段により前記第１コマンドを受信した場合に、自装置の記録紙の情報を検出する検出手段と、検出した自装置の記録紙の情報をテキストデータ形式にて呼制御プロトコルのメソッドにより前記第１コマンドの送信元へ返信する手段と、を備えることを特徴とするファクシミリ装置。
【請求項４】
記録紙の補充を要求する第２コマンドを呼制御プロトコルのメソッドにより受信する第２コマンド受信手段と、該手段により前記第２コマンドを受信した場合に、記録紙の補充を促す動作を実行する手段と、記録紙の補充があった場合に、記録紙が補充されたことを示すテキストデータ形式の情報を呼制御プロトコルのメソッドにより前記第２コマンドの送信元へ返信する手段と、を更に備えることを特徴とする請求項３記載のファクシミリ装置。
【請求項５】
前記コマンドはテキストデータ形式のコマンドであることを特徴とする請求項１乃至４の何れか１に記載のファクシミリ装置。
【発明の詳細な説明】
【技術分野】
【０００１】
本発明は、ＳＩＰ（Session  Initiation  Protocol）等の呼制御プロトコルを実装したファクシミリ装置に関し、詳しくは、原稿の送信に先立って相手先装置における記録紙の残量等の情報を呼制御プロトコルのメソッドを使用して取得するファクシミリ装置に関する。
【背景技術】
【０００２】
近年、ＩＰ網を通じて画像データの送信を行うファクシミリ装置が普及しつつある。例えば特許文献１に開示されているファクシミリ装置は、ＩＴＵ−Ｔ勧告Ｔ．３８に準拠したＩＰファクシミリ通信機能を備え、ＩＰ網を通じて、原稿の画像データを送受信することができる。ＩＰ網を通じて画像データの送信を行えば、電話回線を通じて画像データを送信するよりも格段に通信費を安く抑えることができることから、近年、企業等では通信コストの削減を目的としてＩＰ網を通じて画像データを送信するファクシミリ装置を導入する傾向にある。
【０００３】
一方、特許文献２には、ファクシミリデータを受信記録中に、記録紙の残量が一定量以下となった場合に、その旨を特定のファクシミリ装置に通知して、記録紙の補充を促すファクシミリ装置が開示されている。したがって、このファクシミリ装置によれば、記録紙不足や記録紙切れを迅速に解消することができる。
【０００４】
【特許文献１】特開２００２−１０１２５６号公報
【特許文献２】特開平６−１３３１３９号公報
【発明の開示】
【発明が解決しようとする課題】
【０００５】
ところが、特許文献１、２に係るファクシミリ装置を含めた従来のファクシミリ装置では、原稿の送信に先立って、相手先装置が対応する記録紙サイズや相手先装置における記録紙の残量を確認することができなかった。そのため、送信原稿サイズと同じサイズの記録紙に相手先装置が対応していなかったり、対応していても当該サイズの記録紙が切れている場合は、送信側ユーザが届けようとする原稿と同じサイズの原稿が相手先において再現されない場合が生じ得る。例えば、相手先装置においてＡ３サイズ（日本工業規格Ａ列３番）の記録紙が無くなっている状態で、Ａ３サイズの原稿の画像データを送信すると、相手先装置の自動縮小印刷機能等により、Ａ３サイズと異なるサイズの記録紙、例えばＡ４サイズの記録紙に縮小記録されることがある。このように縮小記録されると、送信する原稿に印字された文字、図形等が極めて細かく描かれている場合は、その文字図形等の内容を十分に把握できないという問題が生じる。また、再度原稿を送信し直す必要が生じることから、最初に行った送信操作や通信費が無駄になるという問題も生じる。
【０００６】
本発明は、かかる問題に鑑みてなされたものであり、原稿の送信に先立って、相手先ファクシミリ装置が対応する記録サイズやその記録紙残量などの情報を送信側において予め確認できるファクシミリ装置を提供することを目的とする。
【課題を解決するための手段】
【０００７】
上記目的を達成するために、請求項１記載のファクシミリ装置は、画像データの送信に先立って、相手先装置に対して記録紙の情報を要求する第１コマンドを呼制御プロトコルのメソッドにより送信する第１コマンド送信手段と、前記相手先装置から呼制御プロトコルのメソッドによりテキストデータを受信する受信手段と、該手段により受信したテキストデータを出力する出力手段と、を備えることを特徴としている。
【０００８】
請求項２記載のファクシミリ装置は、請求項１記載のファクシミリ装置において、前記相手先装置に対して、記録紙の補充を要求する第２コマンドを呼制御プロトコルのメソッドにより送信する第２コマンド送信手段を更に備えることを特徴としている。
【０００９】
請求項３記載のファクシミリ装置は、記録紙の情報を要求する第１コマンドを呼制御プロトコルのメソッドにより受信する第１コマンド受信手段と、該手段により前記第１コマンドを受信した場合に、自装置の記録紙の情報を検出する検出手段と、検出した自装置の記録紙の情報をテキストデータ形式にて呼制御プロトコルのメソッドにより前記第１コマンドの送信元へ返信する手段と、を備えることを特徴としている。
【００１０】
請求項４記載のファクシミリ装置は、請求項３記載のファクシミリ装置において、記録紙の補充を要求する第２コマンドを呼制御プロトコルのメソッドにより受信する第２コマンド受信手段と、該手段により前記第２コマンドを受信した場合に、記録紙の補充を促す動作を実行する手段と、記録紙の補充があった場合に、記録紙が補充されたことを示すテキストデータ形式の情報を呼制御プロトコルのメソッドにより前記第２コマンドの送信元へ返信する手段と、を更に備えることを特徴としている。
【００１１】
請求項５記載のファクシミリ装置は、請求項１乃至４の何れか１に記載のファクシミリ装置において、前記コマンドはテキストデータ形式のコマンドであることを特徴としている。
【発明の効果】
【００１２】
請求項１記載のファクシミリ装置を送信側、請求項３記載のファクシミリ装置を受信側とすれば、送信側のユーザは、原稿の送信に先立って受信側ファクシミリ装置における記録紙の情報を確認することができる。
【００１３】
請求項２記載のファクシミリ装置を送信側、請求項４記載のファクシミリ装置を受信側とすれば、上記利点が得られるほか、送信側から受信側に対して遠隔的に記録紙の補充を要求することができる。また、受信側において記録紙の補充がなされると自動的に送信側に知らされるので、送信側のユーザは、迅速に対応して原稿の送信を開始することができる。
【発明を実施するための最良の形態】
【００１４】
以下本発明の実施の形態に係るファクシミリ装置として、呼制御プロトコルを利用して原稿の画像データを送受信するＩＰファクシミリ通信機能、Ｇ３ファクシミリ通信機能、原稿の画像データを電子メールに添付して送信するインタネットファクシミリ通信機能、クライアント装置からの要求に応じて前記各種のファクシミリ通信を行うファクシミリサーバ機能等を備える複合機型のファクシミリ装置を例に挙げて説明する。
【００１５】
図１にファクシミリ装置１の構成例を示す。すなわち、ファクシミリ装置１は、ＣＰＵ（中央処理装置）２、ＲＯＭ（リードオンリーメモリー）３、ＲＡＭ（ランダムアクセスメモリー）４、画像メモリ５、モデム６、ＮＣＵ７、コーデック８、読取部９、記録部１０、表示部１１、操作部１２、ＬＡＮインタフェース、音声データ生成部１４等を備え、各部２乃至１４はバスＢによって接続されている。
【００１６】
ＣＰＵ２は、ＲＯＭ３に格納された制御プログラムに従って、このファクシミリ装置１を構成する各部を制御する制御手段として機能する。ＲＡＭ４は、ＣＰＵ２の主メモリ、ワークエリア等として機能する。また、ＲＡＭ４には、後述するＳＩＰメソッド「ＭＥＳＳＡＧＥ」により送信される各種テキストデータや、ファクシミリ番号とＩＰ電話番号の対応テーブルＴが格納されている。このテーブルＴには、Ｇ３ファクシミリ通信機能とＩＰファクシミリ通信機能の両方を備え、Ｇ３ファクシミリ用の電話番号とＩＰファクシミリ用のＩＰ電話番号の両方が割り当てられたファクシミリ装置の宛先情報が対応付けて登録されている。
【００１７】
画像メモリ５は、コーデック８によって圧縮符号化された画像データ等を記憶する。モデム６は、例えばＩＴＵ−Ｔ（国際電気通信連合）の勧告Ｖ．３４規格又はこれと同様のものに従った送受信データの変調及び復調を行う。ＮＣＵ７は、ＰＳＴＮ（公衆交換電話網）１５との回線の閉結及び開放の動作を行う回線網制御装置であり、Ｇ３ファクシミリ送受信時にモデム６をＰＳＴＮ１５と接続する。コーデック８は、ファクシミリ送信等に際して、画像データを、ＪＰＥＧ方式又はＭＨ、ＭＲ、ＭＭＲ方式等により圧縮符号化し、また、受信した画像データ等を復号する。読取部９は、原稿の画像データを読取るものであり、例えば、ＣＣＤカラーラインセンサ、Ａ／Ｄコンバータ、画像処理回路等で構成される。
【００１８】
記録部１０は、受信画像データ、読取部９で読取った画像データ等を記録紙上に記録する。記録部１０には、Ａ３サイズの記録紙を収容するカセットＡ３、Ａ４サイズの記録紙を収容するカセットＡ４、Ｂ５サイズの記録紙を収容するカセットＢ５など、各種サイズの記録紙を収容するカセットが設けられており、これらカセットの各々にカセット内に収容されている記録紙の残量を検知する記録紙残量検知部１０ａ乃至１０ｃが設けられている。
【００１９】
表示部１１は、例えば操作部１２に並設されたＬＣＤ（Ｌｉｑｕｉｄ  Ｃｒｙｓｔａｌ  Ｄｉｓｐｌａｙ）からなり、各種の画面情報を表示する。操作部１２は、テンキー、短縮キー、ワンタッチキー、スタートキー、文字入力キー、ファンクションキーなど各種の操作キーを具備する。ユーザによる各種の操作は、この操作部１２において行われる。
【００２０】
ＬＡＮインタフェース１３は、ファクシミリ装置１とＬＡＮ（ローカルエリアネットワーク）１６とを接続するインターフェースであり、これを通じてファクシミリ装置１は、同じくＬＡＮ１６に接続されたクライアントＰＣ１７、ルータ１８等と通信を行う。ファクシミリ装置１は、更に、ルータ１８を通じてＩＰ網１９上にある、ＳＩＰを実装した他のファクシミリ装置１と原稿の画像データ等の送受信を行うことができる。
【００２１】
音声データ生成部１４は、各種テキストデータに対応した音声データや後述するメッセージの音声データ等を格納したメモリと、メモリに格納されている音声データのデコード処理、Ｄ／Ａ変換処理等を行って生成したアナログ音声データをスピーカＳへ出力するデータ処理回路などを備える。音声データ生成部１４は、ＣＰＵ２の指示にしたがって、ファクシミリ装置１がＳＩＰメソッド「ＭＥＳＳＡＧＥ」により受信したテキストデータを音声データに変換しスピーカＳから音声出力する。また、ＣＰＵ２の指示にしたがって、メモリに格納しているメッセージの音声データを読み出してスピーカＳから音声出力する。
【００２２】
上記構成を備えるファクシミリ装置１は、ＴＣＰ／ＩＰ、ＳＩＰ、ＲＴＰ（Real-time  Transport  Protocol）、ＳＤＰ（Session  Description  Protocol）などを実装して、ＳＩＰによりメディアセッションを確立した上で、例えばＲＴＰにより原稿の画像データを相手先と送受信したり、ＳＩＰメソッド「ＭＥＳＳＡＧＥ」などを利用して相手先とテキストデータの送受信を行う。また、ＳＭＴＰ（Simple  Mail  Transfer  Protocol）により原稿の画像データを電子メールにて送受信するインターネットファクシミリ通信機能やＧ３ファクシミリ通信機能なども備える。
【００２３】
つぎに、上記構成及び機能を備えるファクシミリ装置１において、原稿の画像データを送信する際に実行される送信側のファクシミリ装置１の処理動作と、その原稿の画像データを受信する受信側のファクシミリ装置１の処理動作について、図２乃至図５に示すフローチャート及びシーケンス図に基づいて説明する。なお、これらの図に基づいて説明するファクシミリ装置１の処理動作は、ＲＯＭ３に格納された制御プログラムに基づいて制御手段であるＣＰＵ２が発行する命令に従って実行される。以下説明の便宜のため発呼側となる送信側のファクシミリ装置１を送信機１Ａ、被呼側となる受信側のファクシミリ装置１を受信機１Ｂと称して説明する。また、以下の説明では、ファクシミリ装置１において各種操作や表示出力がなされるものとして説明するが、勿論、クライアントＰＣ１７においてファクシミリ装置１のファクシミリ送受信サービスを利用する場合は、クライアントＰＣ１７において各種操作や表示出力がなされる。
【００２４】
まず、送信機１Ａの操作部１２において、原稿の画像データを送信するために、ＩＰ電話番号、メールアドレス等の宛先情報が入力指定され、あるいは、予め入力されて装置内部に登録されている短縮番号やワンタッチダイヤルが指定される（Ｓ１：ＹＥＳ）。すると、ファクシミリ装置１は、原稿の画像データを送信するに先立って、指定された宛先情報の装置である相手先装置に対して記録紙の情報を要求するか否かをユーザに問い合わせる情報を、例えば表示部１１に表示することにより出力する（Ｓ２）。例えば、「相手先に記録紙の情報を要求しますか？はい、いいえを選択していください。」などのメッセージを表示部１１に表示する。
【００２５】
ユーザの操作により、相手先に記録紙の情報を要求すべきことを指定する操作がなされ、ファクシミリ装置１がその指定を受付けると（Ｓ３：ＹＥＳ）、指定された宛先情報の装置に対してＳＩＰメソッド「ＭＥＳＳＡＧＥ」により、記録紙の情報を要求するテキストデータ形式の第１コマンド、例えば図５に示すようなテキストデータ形式のコマンドＺ１を送信する（Ｓ４）。なお、指定された宛先情報がメールアドレスである場合は、これをＤＮＳサーバ（不図示）に提示して宛先ＩＰアドレスを取得し、その宛先ＩＰアドレス宛にＳＩＰ（呼制御プロトコル）のポート番号を指定して前記「ＭＥＳＳＡＧＥ」が送信される。また、指定された宛先情報がＧ３ファクシミリのファクシミリ番号である場合は、ＲＡＭ４に記憶しているファクシミリ番号とＩＰ電話番号の対応テーブルＴから指定されたファクシミリ番号に対応する宛先ＩＰ電話番号を検出し、該電話番号宛に前記「ＭＥＳＳＡＧＥ」が送信される。なお、テキストデータ形式のコマンドを送受信するためのＳＩＰメソッドは、「ＭＥＳＳＡＧＥ」に限定されず、「ＩＮＦＯ」、「ＳＵＢＳＣＲＩＢＥ」、「ＮＯＴＩＦＹ」などテキストデータを送信することができるものであればよい。後述する「ＭＥＳＳＡＧＥ」の送受信も同様である。
【００２６】
図５に示すように、送信機１ＡからＳＩＰメソッド「ＭＥＳＳＡＧＥ」により送出されたテキスト形式の第１コマンドＺ１は、ＳＩＰサーバ２１を介して受信機１Ｂに受信される（Ｔ１）。受信機１Ｂは、ＳＩＰメソッド「ＭＥＳＳＡＧＥ」によりテキスト形式の第１コマンドＺ１を受信すると（Ｓ５１：ＹＥＳ）、記録紙残量検知部１０ａ乃至１０ｃにより記録紙サイズ毎に記録紙の残量を検出する（Ｓ５２）。そして、検出した記録紙サイズ毎の記録紙残量の情報を含めたテキストデータ形式の情報を生成し（Ｓ５３）、これを記録紙の情報としてＳＩＰメソッド「ＭＥＳＳＡＧＥ」により送信機１Ａに返信する（Ｓ５４、Ｒ１）。返信される記録紙の情報には、検出された記録紙サイズ毎の残量情報のほか、受信機１Ｂが対応する記録紙サイズの種類の情報が含まれる。前記記録紙の残量情報は、例えば図示するように、各記録紙サイズを示す情報「Ａ４」、「Ｂ５」、「Ａ３」ごとに記述され、記録紙の残量情報として、記録紙の残量が所定枚数以上あることを示す情報（例えば「５０枚以上あり」）、記録紙の残量が少ないことを示す情報（例えば「残りわずか」）、記録紙の残量が全く無いことを示す情報（例えば「記録紙無し」）などが記述される。なお、受信機１Ｂの画像メモリ５の空き容量情報も記述され記録紙の情報Ｘ１とともに返信される。ここで空き容量情報は、図示するようにメモリ全体容量に対する空き容量の割合であってもよいし、「１ＭＢ」などのように具体的な空き容量の値であってもよい。
【００２７】
送信機１Ａは、前記Ｓ４で送信した第１コマンドに対する応答としてＳＩＰメソッド「ＭＥＳＳＡＧＥ」によりテキストデータ形式の記録紙の情報を受信機１Ｂから受信すると（Ｓ５：ＹＥＳ）、受信した受信機１Ｂの記録紙の情報及びメモリ残量情報を表示部１１に表示することにより出力する（Ｓ６）。例えば、図５に示すような記録紙の情報Ｘ１及びメモリ空き容量情報を受信した場合は、それらテキストデータ形式の情報が表示部１１に表示される。送信機１のユーザは、これら出力された情報から相手先で使用されることを希望するサイズの記録紙が十分にあるか否かを判断することができる。また、出力されたメモリ残量情報から、記録紙が不足している場合にメモリ受信が可能か否かも判断することができる。なお、前記Ｓ６の出力は、受信したテキストデータ形式の情報Ｘ１を音声データ生成部１４により音声データに変換し音声により出力するようにしてもよい。
【００２８】
一方、送信機１Ａは、受信機１Ｂから第１コマンドに対する応答を一定時間内に受信しなかった場合は（Ｓ５：ＮＯ）、その旨の情報を、例えば表示部１１に表示することにより出力する（Ｓ７）。Ｓ７の出力内容としては、例えば、「応答がありません。指定した宛先情報が間違っていないか確認して下さい。」などのメッセージが表示部１１に表示される。
【００２９】
次いで、送信機１Ａにおいて、受信機１Ｂに対し記録紙の補充を要求すべきことを指定する操作及び補充すべき記録紙のサイズを指定する操作が操作部１２でなされると（Ｓ８：ＹＥＳ）、送信機１Ａはこれらを受付けて、受信機１Ｂに対して、ＳＩＰメソッド「ＭＥＳＳＡＧＥ」により、指定されたサイズの記録紙の補充を要求するテキストデータ形式の第２コマンド、例えば図５に示すようなテキストデータ形式のコマンドＺ２を送信する（Ｓ９）。なお、図示するコマンドＺ２は、記録紙の補充を要求するコマンド「＜記録紙の補充要求＞」と、補充すべき記録紙のサイズとしてＢ５を指定するコマンド「＜Ｂ５＞」からなる。
【００３０】
次いで、送信機１Ａにおいて、送信予約を行うべき操作がなされると（Ｓ１０：ＹＥＳ）、送信機１Ａはこれを受付け、後述する応答を受信した時に原稿の画像データの送信処理を開始するための送信予約コマンドを生成する（Ｓ１１）。
【００３１】
一方、図５に示すように、送信機１ＡからＳＩＰメソッド「ＭＥＳＳＡＧＥ」により送出されたテキストデータ形式の第２コマンドＺ２は、ＳＩＰサーバ２１を介して受信機１Ｂに受信される（Ｔ３）。受信機１Ｂは、ＳＩＰメソッド「ＭＥＳＳＡＧＥ」によりテキストデータ形式の第２コマンドＺ２を受信すると（Ｓ１０１：ＹＥＳ）、特定サイズの記録紙の補充を促す動作を実行する（Ｓ１０２）。該動作として、音声データ生成部１４においてメモリに格納された記録紙の補充を促すメッセージが読み出されスピーカＳから音声出力される。記録紙の補充を促すメッセージは、例えば「Ｂ５サイズの記録紙が不足しています。直ちに補充してください。」などである。また、前記動作として、上記のような特定サイズの記録紙の補充を促す文字情報が表示部１１に表示される。記録紙の補充を促す動作は、受信機１Ｂのユーザに記録紙の補充を促すものであれば、上記したものに限定されない。例えば、発音手段や発光手段を設け、所定の警告音を発生したり、所定の発光ランプを発光することにより記録紙の補充を促すようにしてもよい。
【００３２】
前記Ｓ１０２における記録紙の補充を促す動作の実行により、受信機１Ｂのユーザが記録紙切れないし記録紙不足に気付き、記録紙の補充がなされると、記録紙の残量検知部１０ａ、１０ｂ、１０ｃ等により記録紙が補充されたことが検知される（Ｓ１０３：ＹＥＳ）。すると、受信機１Ｂは、記録紙の補充を促す動作を停止して、記録紙が補充されたことを示すテキストデータ形式の情報を生成し（Ｓ１０４）、これをＳＩＰメソッド「ＭＥＳＳＡＧＥ」により送信機１Ａに返信する（Ｓ１０５、Ｒ２）。例えば図示するような、「記録紙の補充が完了しました。」等のテキストデータＸ２を返信する。
【００３３】
一方、送信機１Ａが受信機１Ｂから記録紙が補充されたことを示すテキストデータ形式の情報を前記第２コマンドに対する応答として受信すると（Ｓ１２：ＹＥＳ）、送信予約コマンドが蓄積されている場合は（Ｓ１３：ＹＥＳ）、当該コマンドを実行して原稿の画像データの送信処理を開始する。
【００３４】
一方、送信予約コマンドが蓄積されていない場合は（Ｓ１３：ＮＯ）、受信したテキストデータＸ２を表示部１１に表示することにより出力する（Ｓ１４）。併せて、音声データ生成部１４により、受信したテキストデータＸ２を音声データに変換してスピーカＳから音声出力する（Ｓ１４）。
【００３５】
Ｓ３において相手先に記録紙の情報を要求しないことを指定する操作がなされた場合（Ｓ３：ＮＯ）、Ｓ７の表示がなされた場合、Ｓ８において記録紙の補充を要求しないことを指定する操作がなされた場合（Ｓ８：ＮＯ）、又はＳ１４において記録紙の補充がなされた旨の出力がなされた場合に、送信を開始すべき操作、例えば操作部１２のスタートキーの押下がなされると（Ｓ１５：ＹＥＳ）、原稿の画像データの送信処理が開始される。一方、送信のキャンセル操作がなされたり、一定時間送信を開始すべき操作がなされなかった場合は（Ｓ１５：ＮＯ）、Ｓ１に処理が戻される。
【００３６】
原稿の画像データの送信処理は、前記Ｓ１で宛先情報として、メールアドレスが指定された場合にＳＭＴＰにより行われ、ファクシミリ番号が指定された場合にＧ３ファクシミリにより行われ、ＩＰ電話番号が入力指定された場合にＳＩＰを利用して行われるようになっている。勿論、原稿の画像データの送信に利用するプロトコルはこれらに限定されず、その他のプロトコルを利用してもよい。
【００３７】
原稿の画像データをＳＩＰを利用して送信する場合は、図６に示すようなセッションが、送信機１Ａと受信機１Ｂの間で形成される。すなわち、上述した手順を経た後、セッション参加リクエストであるＳＩＰメソッド「ＩＮＶＩＴＥ」の送受信（Ｔ５）、応答コードの送受信（Ｒ３）、「ＩＮＶＩＴＥ」に対する最終レスポンスを示すＳＩＰメソッド「ＡＣＫ」の送受信（Ｔ６）が送信機１Ａと受信機１Ｂとの間で形成され、メディアセッションが確立された上で、送信機１Ａから受信機１Ｂへ原稿の画像データが送信される。原稿の画像データの送信完了後は、送信機１Ａから受信機１Ｂに対してセッション終了を要求するＳＩＰメソッド「ＢＹＥ」が送信され（Ｔ７）、応答レスポンスが受信機１Ｂから送信機１Ａに返信された後（Ｒ４）、セッションが切断される。
【００３８】
以上説明した実施の形態においては、呼制御プロトコルの一例としてＳＩＰを例に挙げて説明したが、テキストデータ形式のコマンドを相手先と送受信することができるものであれば、その他の呼制御プロトコルを採用してもよい。また、上記実施の形態では第１コマンドと第２コマンドにはテキストデータ形式のコマンドを採用しているが、これらコマンドにテキストデータ形式以外のものを採用してもよい。例えば所定の信号、非テキストデータ等を第１、第２コマンドとして送受信することも可能である。
【産業上の利用可能性】
【００３９】
本発明は、例えば、ＳＩＰなどの呼制御プロトコルを利用して、テキストデータを送受信することができるファクシミリ装置に適用することができる。
【図面の簡単な説明】
【００４０】
【図１】本発明の実施の形態に係るファクシミリ装置の構成例等を示したブロック図である。
【図２】本発明の実施の形態に係るファクシミリ装置が、原稿の画像データを送信するに先立って、相手先の記録紙の情報を要求する場合に実行する処理動作を示したフローチャートである。
【図３】本発明の実施の形態に係るファクシミリ装置が、記録紙の情報を要求するテキストデータ形式の第１コマンドを受信した場合に実行する処理動作を示したフローチャートである。
【図４】本発明の実施の形態に係るファクシミリ装置が、記録紙の補充を要求するテキストデータ形式の第２コマンドを受信した場合に実行する処理動作を示したフローチャートである。
【図５】送信機と受信機の間でコマンドやその応答が送受信される場合のＳＩＰによる通信手順を示したシーケンス図である。
【図６】ＳＩＰによりメディアセッションを確立した上で原稿の画像データが送受信される場合に、送信機と受信機の間で形成される通信手順を示したシーケンス図である。
【符号の説明】
【００４１】
Ｘ１    記録紙のテキストデータ形式の情報
Ｘ２    記録紙が補充されたことを示すテキストデータ形式の情報
Ｚ１    第１コマンド
Ｚ２    第２コマンド
１、１Ａ、１Ｂ    ファクシミリ装置
２    ＣＰＵ
３    ＲＯＭ
４    ＲＡＭ
１０    記録部
１０ａ乃至１０ｃ    記録紙残量検出部
１１    表示部
１２    操作部
２１  ＳＩＰサーバ
【図１】
2006101418.tif 000003
【図２】
2006101418.tif 000004
【図３】
2006101418.tif 000005
【図４】
2006101418.tif 000006
【図５】
2006101418.tif 000007
【図６】
2006101418.tif 000008